(57)【要約】【課題】既存の伝送規格を利用した簡単な構成で、高解像度の静止映像の伝送を行う。【解決手段】所定のフォーマットの映像データを１フレームずつ受信し、その受信した１フレームの映像データの特定位置に配置された付加情報を検出する。そして、受信した１フレームの映像データに配置された静止画の分割映像を取り出し、付加情報に基づいて取り出した分割映像を合成して、１フレームの映像データの画素数より大きな静止画を組み立てる。そして、合成された静止画を表示させる。【選択図】図６
2013125141.tif 000002
【特許請求の範囲】
【請求項１】
所定のフォーマットの映像データを１フレームずつ受信する受信部と、
前記受信部が受信した１フレームの映像データの特定位置に配置された付加情報を検出する付加情報検出部と、
前記受信部が受信した１フレームの映像データに配置された静止画の分割映像を取り出し、前記付加情報に基づいて取り出した分割映像を合成して、前記１フレームの映像データの画素数より大きな静止画を組み立てる合成部と、
前記合成部で合成された静止画を表示する表示部とを備えた
表示装置。
【請求項２】
前記受信部が受信する映像データは、静止画の同一の分割映像が複数フレームで繰り返し受信される映像データであり、
前記付加情報検出部が検出する付加情報には、静止画の分割映像の繰り返し伝送回数を示す情報が含まれる
請求項１記載の表示装置。
【請求項３】
前記合成部は、分割映像を合成するメモリを備え、
静止画の同一の分割映像が複数フレームで繰り返し受信される期間内で、前記合成部での前記メモリへの１つの分割領域の分割映像の書き込みを完了させる
請求項２記載の表示装置。
【請求項４】
前記表示部は、前記合成部での静止画の合成を行っている間、映像の表示を行わず、前記合成部での静止画の合成が完了後、合成された静止画を毎フレーム表示する
請求項１記載の表示装置。
【請求項５】
前記受信部が受信した１フレームの映像データの特定位置に配置された付加情報から、受信した映像データの伝送モードを判別するモード判別部を備え、
前記モード判別部が判別した伝送モードが、静止画の分割映像を行う伝送モードであるとき、前記合成部が静止画の合成を行うと共に前記表示部で合成された静止画を表示する
請求項１記載の表示装置。
【請求項６】
前記モード判別部は、前記特定位置に配置された付加情報に含まれる伝送モード指示用の複数ビットの情報の内の限られたビットの情報を判別する
請求項５記載の表示装置。
【請求項７】
前記モード判別部が判別するビット位置を、１フレームごとに可変した位置とする
請求項６記載の表示装置。
【請求項８】
前記受信部が受信した映像データの画質処理を行う画質処理部を備え、
前記モード判別部が判別した伝送モードが、静止画の分割映像を行う伝送モードであるとき、前記画質処理部での画質処理を停止する
請求項６記載の表示装置。
【請求項９】
所定のフォーマットの映像データを１フレームずつ受信する受信ステップと、
前記受信ステップで受信した１フレームの映像データの特定位置に配置された付加情報を検出する付加情報検出ステップと、
前記受信ステップで受信した１フレームの映像データに配置された静止画の分割映像を取り出し、前記付加情報に基づいて取り出した分割映像を合成して、前記１フレームの映像データの画素数より大きな静止画を組み立てる合成ステップと、
前記合成ステップで合成された静止画を表示する表示ステップとを含む
表示方法。
【請求項１０】
１枚の静止画の映像データを所定領域ごとに分割して複数の分割映像データを得、得られた複数の分割映像データのそれぞれを、前記静止画よりも画素数が少ない所定のフォーマットの映像データ内に配置する分割処理部と、
前記分割処理部で得られた前記所定のフォーマットの映像データ内の特定位置に、前記分割映像に関する付加情報を配置する情報付加部と、
前記情報付加部で付加情報が配置されたフレームを、１つの分割映像毎に所定の複数回繰り返し出力しながら、作成された全てのフレームを出力する送信部とを備えた
送信装置。
【請求項１１】
１枚の静止画の映像データを所定領域ごとに分割して、複数の分割映像データを得、得られた複数の分割映像データのそれぞれを、前記静止画よりも画素数が少ない所定のフォーマットの映像データ内に配置する分割ステップと、
前記分割ステップで得られた前記所定のフォーマットの映像データ内の特定位置に、前記分割映像に関する付加情報を配置する情報付加ステップと、
前記情報付加ステップで付加情報が配置されたフレームを、１つの分割映像毎に所定の複数回繰り返し出力しながら、作成された全てのフレームを出力する送信ステップとを含む
送信方法。
【発明の詳細な説明】
【技術分野】
【０００１】
本開示は、静止画の映像データを受信して表示する表示装置および表示方法、ならびに静止画の映像データを送信する送信装置および送信方法に関する。
【背景技術】
【０００２】
近年、映像データを受信して表示する表示装置は、表示映像の高解像度化が進展している。高解像度の映像データフォーマットは、従来、１フレームの画素数が水平画素数１９２０×垂直画素数１０８０の、ＨＤ（High Definition）フォーマットと称されるものが一般的であった。これに対して、１フレームの画素数が水平画素数４０９６×垂直画素数２１６０で、ＨＤ規格の約４倍の画素数とした、いわゆる４Ｋフォーマットと称される規格が近年提案され、その規格に対応した映像機器が開発されている。ＨＤフォーマットや４Ｋフォーマットの画素数は１つの例であり、上述した画素数とは異なる場合もある。また、フォーマットの名称についても、ＨＤフォーマットや４Ｋフォーマットとは異なる名称で呼ばれる場合もある。
本明細書では、ＨＤフォーマットと称した場合、１フレームが水平画素数４０９６×垂直画素数２１６０の映像データを示し、４Ｋフォーマットと称した場合、１フレームが水平画素数４０９６×垂直画素数２１６０の映像データを示す。
【０００３】
４Ｋフォーマットの映像は、１フレームの画素数が非常に多いため、非圧縮の映像データをリアルタイムで伝送するためには、伝送路の伝送レートを非常に高くする等の対処が必要で、リアルタイム伝送を実現するために難度が高い技術を適用する必要がある。
特許文献１には、ＨＤフォーマットを超える画素数の映像データを伝送するために、送信側と受信側とを複数本の伝送路で接続する技術が記載されている。そして、特許文献１に記載された技術では、送信側で映像データを複数の系統に分割し、それぞれの分割映像データを、個別の伝送路を使って同時に伝送させる。このように複数本の伝送路を使用して伝送させることで、１本の伝送路の伝送レートを分割本数に対応して低く抑えることができ、１フレームの画素数が多い映像データを比較的容易に伝送できる。
【先行技術文献】
【特許文献】
【０００４】
【特許文献１】特開２００４−１２０４９９号公報
【発明の概要】
【発明が解決しようとする課題】
【０００５】
上述したように、４Ｋフォーマットの映像をそのままリアルタイムで伝送するためには、伝送レートの高速化などの難度の高い技術を適用する必要があり、送信側機器と受信側機器の双方で、高価で複雑な伝送用の構成が必要になる。このため、４Ｋフォーマットで映像データを送信可能な映像機器や受信可能な映像機器は、現状では非常に限られた機器しか存在しない。
【０００６】
一方、４Ｋフォーマットに相当する高解像度の映像を扱うことができる機器そのものは普及しつつある。例えば、静止映像の撮影を行うデジタルスチルカメラとして、４Ｋフォーマットに相当する高解像度の画素数の映像が撮影できるものが既に普及している。通常、デジタルスチルカメラは、撮影した映像データをメモリカードに記録し、その記録済みのメモリカードを他の機器に差し替えることで、データを他の機器に送る。あるいは、デジタルスチルカメラ本体と他の機器（パーソナルコンピュータ装置など）を、ＵＳＢケーブルなどで直接接続し、比較的低速の伝送レートで時間をかけて他の機器に映像データを伝送する。これらの従来から行われている高解像度映像データを他の機器に送る処理は、時間と手間がかかる処理である。
【０００７】
本開示は、既存の伝送規格を利用した簡単な構成で、高解像度の静止映像の伝送が可能な送信可能な送信装置および送信方法、ならびに高解像度の静止映像を受信して表示可能な表示装置および表示方法を提供することを目的とする。
【課題を解決するための手段】
【０００８】
本開示の表示装置は、受信部と付加情報検出部と合成部と表示部とを備える。
受信部では、所定のフォーマットの映像データが１フレームずつ受信される。
付加情報検出部では、受信部が受信した１フレームの映像データの特定位置に配置された付加情報が検出される。
合成部では、受信部が受信した１フレームの映像データに配置された静止画の分割映像が取り出され、付加情報に基づいて取り出した分割映像を合成して、１フレームの映像データの画素数より大きな静止画が組み立てられる。
表示部では、合成部で合成された静止画が表示される。
【０００９】
また、本開示の表示方法は、受信ステップと付加情報検出ステップと合成ステップと表示ステップとを含む。
受信ステップでは、所定のフォーマットの映像データが１フレームずつ受信される。
付加情報検出ステップでは、受信処理で受信した１フレームの映像データの特定位置に配置された付加情報が検出される。
合成ステップでは、受信ステップで受信した１フレームの映像データに配置された静止画の分割映像が取り出され、付加情報に基づいて取り出した分割映像を合成して、１フレームの映像データの画素数より大きな静止画を組み立てられる。
表示ステップでは、合成ステップで合成された静止画が表示される。
【００１０】
また、本開示の送信装置は、分割処理部と情報付加部と送信部とを備える。
分割処理部では、１枚の静止画の映像データを所定領域ごとに分割して複数の分割映像データとし、その複数の分割映像データのそれぞれを、静止画よりも画素数が少ない所定のフォーマットの映像データ内に配置させる。
情報付加部では、分割処理部で得られた所定のフォーマットの映像データ内の特定位置に、分割映像に関する付加情報を配置させる。
送信部では、付加情報部で付加情報が配置されたフレームを、１つの分割映像毎に所定の複数回繰り返し出力しながら、作成された全てのフレームの出力処理が行われる。
【００１１】
また、本開示の送信方法は、分割ステップと情報付加ステップと送信ステップとを含む。
分割ステップでは、１枚の静止画の映像データを所定領域ごとに分割して、複数の分割映像データを得、得られた複数の分割映像データのそれぞれを、静止画よりも画素数が少ない所定のフォーマットの映像データ内に配置させる。
情報付加ステップでは、分割ステップで得られた所定のフォーマットの映像データ内の特定位置に、分割映像に関する付加情報を配置させる。
送信ステップでは、情報付加ステップで付加情報が配置されたフレームを、１つの分割映像毎に所定の複数回繰り返し出力しながら、作成された全てのフレームを出力させる。
【００１２】
これら本開示によると、所定のフォーマットの映像データを使用して、そのフォーマットの映像データが１フレームに持つ画素数を超える大きな画素数の静止画を、複数フレーム期間をかけて伝送できる。
【発明の効果】
【００１３】
本発明によると、画像数が大きな１フレームの映像データを複数に分割し、各分割映像データを複数回繰り返し伝送するため、その分割映像データを受信して元の画素数の１フレームの映像データに復元する処理が、確実かつ容易に行える。したがって、画素数が大きな静止映像データを伝送して表示することが可能になり、例えば画素数が大きな高解像度の静止映像データを次々伝送して表示させるスライドショー表示が容易に実現できる。
【図面の簡単な説明】
【００１４】
【図１】本開示の一実施の形態によるシステム例を示す構成図である。
【図２】本開示の一実施の形態によるコンテンツ再生装置の構成例を示すブロック図である。
【図３】本開示の一実施の形態によるプロジェクタ装置の構成例を示すブロック図である。
【図４】本開示の一実施の形態による映像の分割例を示す図である。
【図５】本開示の一実施の形態による分割映像と、その分割映像の付加情報の例を示す図である。
【図６】本開示の一実施の形態による分割映像の伝送状態の例を示す図である。
【図７】本開示の一実施の形態による送信側と受信側との伝送処理の遷移を示す図である。
【図８】本開示の一実施の形態による受信側での処理タイミングの例を示すタイミング図である。
【図９】本開示の一実施の形態による受信処理の詳細例を示すシーケンス図（その１）である。
【図１０】本開示の一実施の形態による受信処理の詳細例を示すシーケンス図（その２）である。
【発明を実施するための形態】
【００１５】
本開示の一実施の形態の例（以下「本例」と称する。）を、以下の順序で説明する。
１．システム全体の構成例（図１）
２．送信装置の構成例（図２）
３．表示装置の構成例（図３）
４．伝送映像の具体的な例（図４，図５，図６）
５．伝送処理の例（図７）
６．表示装置での受信処理の例（図８，図９、図１０）
７．変形例
【００１６】
［１．システム全体の構成例］
まず、図１を参照して、システム全体の構成を説明する。
図１に示すように、コンテンツ再生装置１０のＨＤＭＩ端子１１と、プロジェクタ装置３０のＨＤＭＩ端子３１とを、伝送ケーブル９０で接続する。ＨＤＭＩ端子１１，３１は、ＨＤＭＩ（High-Definition Multimedia Interface）規格と称されるデジタル映像伝送用インターフェース規格に準拠した端子である。このＨＤＭＩ規格で伝送する際には、送信装置（ソース機器）から受信装置（シンク機器）にデジタル映像データが伝送されると共に、制御データなどが双方向に伝送される。なお、ＨＤＭＩ規格では、映像データに含まれるそれぞれの画素値が非圧縮でそのまま伝送される。例えば、１フレームの映像データで、その１フレームを構成する全ての画素の赤Ｒと緑Ｇと青Ｂの３原色の画素値（デジタルデータ）が伝送される。
【００１７】
コンテンツ再生装置１０では、蓄積した映像データの再生を行い、再生した映像データがＨＤＭＩ端子１１から伝送ケーブル９０に送出される。プロジェクタ装置３０は、伝送ケーブル９０を介してＨＤＭＩ端子３１が受信した映像データを表示処理する。そして、プロジェクタ装置３０は、投射レンズ３２からスクリーン８０に映像を投射する。
【００１８】
ここで、コンテンツ再生装置１０は、動画としての映像データを送信する能力として、ＨＤフォーマット、つまり水平画素数１９２０×垂直画素数１０８０の映像データを再生して、ＨＤＭＩ端子１１から送信する能力を持つ。
また、プロジェクタ装置３０は、同様に水平画素数１９２０×垂直画素数１０８０の動画の映像データをＨＤＭＩ端子３１で受信して、表示させる能力を持つ。但し、これらの能力は、最低限必要な能力であり、例えばＨＤＭＩ端子３１は４Ｋフォーマットの映像データを受信する能力があってもよい。
【００１９】
そして、コンテンツ再生装置１０とプロジェクタ装置３０は、以下に述べる本開示の技術を適用することで、１フレームの画素数が水平画素数４０９６×垂直画素数２１６０の４Ｋフォーマットの静止画の映像データを扱うことができる。すなわち、コンテンツ再生装置１０は、４Ｋフォーマットの静止画の映像データを、後述するように複数フレームに分割してＨＤＭＩ端子１１から送信することができる。
また、プロジェクタ装置３０は、４Ｋフォーマットの静止画の映像データが複数フレームに分割してＨＤＭＩ端子３１に入力された場合に、その４Ｋフォーマットの解像度の静止画を合成して表示する処理を行う。
【００２０】
［２．送信装置の構成例］
次に、映像データの送信装置である、コンテンツ再生装置１０の構成を、図２を参照して説明する。
コンテンツ再生装置１０は、例えばビデオゲーム装置やデジタルスチルカメラなど、ＨＤＭＩ端子を備えて映像データを外部に送信可能な様々な映像機器に適用可能である。
コンテンツ再生装置１０は、映像データが蓄積される蓄積部として、メモリ１２を備える。また、コンテンツ再生装置１０は、ハードディスクドライブ１３と、光ディスク駆動部１４とを備え、ハードディスクドライブ１３や光ディスク駆動部１４で媒体（ハードディスク又は光ディスク）から読み出された映像データを取得することもできる。
これらメモリ１２などから読み出された映像データが、映像データ読み出し部１５に供給される。映像データ読み出し部１５は、動画の映像データが読み出されて供給される場合と、静止画の映像データが読み出されて供給される場合とがある。以下の説明では、静止画の映像データが読み出される場合について説明し、動画の処理については省略する。
【００２１】
ここでは、映像データ読み出し部１５がメモリ１２などから読み出す静止画の映像データは、１フレームの画素数が水平画素数４０９６×垂直画素数２１６０の４Ｋフォーマットの映像データである。
そして、映像データ読み出し部１５が読み出した４Ｋフォーマットの１フレームの映像データが、デコーダ１６に供給される。デコーダ１６は、供給された映像データをデコードして、圧縮されていない全画素のデータを有する１フレームの映像データに変換する。デコーダ１６は、例えばＪＰＥＧ（Joint Photographic Experts Group）方式のデコードを行う。
そして、デコーダ１６が、デコードされた１フレームの映像データを解像度変換部１７に供給する。解像度変換部１７は、供給された映像データの１フレームの画素数が４Ｋフォーマットなどの規定された画素数でない場合に、４Ｋフォーマットとなるように変換する。したがって、解像度変換部１７は、入力データが４Ｋフォーマットの場合には、変換処理を実行しない。
【００２２】
そして、解像度変換部１７で得られた４Ｋフォーマットの１フレームの映像データが、分割処理部１８に供給される。分割処理部１８では、供給された１フレームの映像データが、１２領域の映像データに分割される。分割処理の詳細については後述するが、１フレームの画素数が水平画素数４０９６×垂直画素数２１６０の映像データは、１２個の映像データに分割される。分割されたそれぞれの映像データは、水平画素数１０２４×垂直画素数７２０である。以下の説明では、分割後の映像データを分割映像データと称する。
さらに、分割処理部１８では、それぞれの分割映像データを、水平画素数１９２０×垂直画素数１０８０のＨＤフォーマットの１フレーム内に配置する。そして、分割処理部１８が、それぞれの分割映像データが配置されたＨＤフォーマットの映像データを、１フレームずつ順番に出力する。この場合、分割処理部１８は、同じ分割領域の分割映像データが配置されたＨＤフォーマットの映像データを５回連続して出力させる処理を行う。したがって、１２領域に分割されたそれぞれの分割映像を５回連続して出力するため、１２分割×５回の合計６０フレームで、４Ｋフォーマットの１フレーム分の映像データの出力が完了する。
【００２３】
分割処理部１８が出力するＨＤフォーマットの映像データは、情報付加部１９に供給される。情報付加部１９では、分割映像データが配置されたことを識別するためのモード情報と、上述した１２分割の位置などの情報による付加情報とが、それぞれの情報ごとに決められた位置に付加される。付加情報の詳細は後述するが、第１付加情報Ｄ１と第２付加情報Ｄ２の双方が情報付加部１９で付加される。
【００２４】
そして、情報付加部１９で付加情報が配置された映像データは、ＨＤＭＩ送信部２０に供給される。ＨＤＭＩ送信部２０では、ＨＤＭＩ端子１１から映像データを送信するための送信処理を行い、処理された映像データがＨＤＭＩ端子１１に供給される。
【００２５】
また、コンテンツ再生装置１０は、コンテンツ再生装置１０内の各部の動作を制御する制御部２１を備える。制御部２１は、デコーダ１６と解像度変換部１７と分割処理部１８と情報付加部１９に対して、動作モードの指示を行う。例えば、制御部２１は、上述した分割映像データの処理を行う場合に、対応した動作モードを指示する。
【００２６】
［３．表示装置の構成例］
次に、映像データを受信して表示する表示装置である、プロジェクタ装置３０の構成を、図３を参照して説明する。
プロジェクタ装置３０は、ＨＤＭＩ端子３１に得られる映像データを受信処理するＨＤＭＩ受信部３３を備える。ＨＤＭＩ受信部３３は、制御部４１からの動作モードの指示で各種フォーマットの映像データの受信が可能であるが、ここでは、ＨＤフォーマットの映像データを受信するモードが設定中とする。
【００２７】
ＨＤＭＩ端子３１を介してＨＤＭＩ受信部３３が受信したＨＤフォーマットの映像データが、モード判別部３４に供給される。モード判別部３４は、供給された映像データ内の特定画素位置の画素値から、分割映像データが配置された映像データであることを判別し、その判別結果を制御部４１に供給する。このモード判別部３４は、後述する第１付加情報Ｄ１と第２付加情報Ｄ２の内の、第２付加情報Ｄ２を判別する。
モード判別部３４は、毎秒６０フレームなどの一定周期でＨＤＭＩ受信部３３が受信した全てのフレームの映像データから付加情報を高速で判別するために、１フレームごとに特定位置の１画素の画素値だけを検出する。そして、モード判別部３４では、検出する１画素の位置を１フレームずつシフトさせる。
【００２８】
そして、ＨＤフォーマットの映像データがモード判別部３４より出力され、画質処理部３５に供給される。画質処理部３５は、入力映像データが動画の映像データである場合に、高画質化のための処理を行う。また、４Ｋフォーマットの１フレームを分割した分割映像データが供給されるモードの場合、モード判別部３４は、高画質化のための処理を行わず、映像データに含まれる各画素データを、そのままの値の画素データとして出力する。これらの画質処理部３５の動作モードは、制御部４１からの指示で設定される。
【００２９】
画質処理部３５が処理した映像データは、付加情報検出部３６に供給される。付加情報検出部３６は、１フレームの映像データに付加された付加情報を検出し、検出した付加情報を、付加情報検出部３６内のレジスタに書き込む。このレジスタに書き込まれた情報が、制御部４１により随時読み出され、制御部４１が付加情報の変化を検出する。
そして、付加情報検出部３６が出力した映像データは、解像度変換部３７に供給される。解像度変換部３７は、ＨＤフォーマットの動画の映像データが供給される場合に、そのＨＤフォーマットの映像データを、４Ｋフォーマットの映像データに解像度変換する処理部であり、その解像度変換を行うためにメモリ３８が解像度変換部３７に接続されている。
ここで、４Ｋフォーマットの１フレームを分割した分割映像データが供給されるモードの場合、解像度変換部３７とメモリ３８を合成部として使用する。すなわち、解像度変換部３７は、付加情報検出部３６から供給される分割映像を次々にメモリ３８に書き込み、４Ｋフォーマットの１フレームの映像データに復元する合成処理を行う。これらの解像度変換部３７の動作モードは、制御部４１からの指示で設定される。
【００３０】
そして、解像度変換部３７で得られた４Ｋフォーマットの映像データが、表示処理部３９に供給される。表示処理部３９は、映像表示のために必要な処理を行う。そして、表示処理部３９で処理された映像データが、表示処理部３９からパネル駆動部４０に供給される。パネル駆動部４０は、表示処理部３９から供給された映像データに基づいて、表示パネル４３での表示を駆動する処理を行う。
【００３１】
表示パネル４３は、光源４２からの光が透過または反射する位置に配置される。そして、表示パネル４３を透過または反射した光が、表示映像に対応した像光になる。この表示パネル４３で得られた像光が、投射レンズ３２に入射され、投射レンズ３２からスクリーン８０（図１）に投射され、スクリーン８０に映像が表示される。
【００３２】
［４．伝送映像の具体的な例］
次に、４Ｋフォーマットの１フレームの静止画の映像データを、分割映像として伝送する処理について説明する。
図４は、水平画素数４０９６×垂直画素数２１６０の４Ｋフォーマットの１フレームの映像を、１２分割する状態を示す図である。
この例では、４Ｋフォーマットの１フレームの静止画の映像を、水平方向に４分割、垂直方向に３分割し、１フレームの映像から水平画素数１０２４×垂直画素数７２０の画素数の分割映像を１２個得る。それぞれの分割位置の映像には、１から１２までの分割位置の番号を付与する。図４の例では、左上を分割位置１とし、水平方向に分割位置２，３，４とし、右下を分割位置１２とする。
【００３３】
そして、図５（ａ）に示すように、水平画素数１０２４×垂直画素数７２０の分割映像のそれぞれの画素を、ＨＤフォーマットの１フレームの映像データの画素の一部に配置する。すなわち、図５に示すように、ＨＤフォーマットの１フレームの映像データは、水平画素数１９２０×垂直画素数１０８０であり、そのＨＤフォーマットの１フレームの左上の領域を使用して、水平画素数１０２４×垂直画素数７２０の分割映像が配置される。また、分割映像が配置されない空き領域を使用して、第１付加情報Ｄ１と、第２付加情報Ｄ２とが配置される。なお、次に述べるにように第１付加情報Ｄ１と第２付加情報Ｄ２は、各水平ラインで右端の１つの画素だけが使用されて付加される情報であるが、図５では付加される位置が判り易いように強調表示している。
【００３４】
第１付加情報Ｄ１としては、図５（ｂ）に示すように、１フレームの右端の上から１１画素が使用されて、１画素に１ビットずつ情報が埋め込まれ、合計で１１ビットの情報が付加される。
この位置にデータが埋め込まれた場合には、１画素を構成するＲ，Ｇ，Ｂの３チャンネルのデータの内のＧデータ（緑画素データ）の値が、０または１０２３とされ、ＲデータとＢデータの値が０とされる。すなわち、Ｒ，Ｇ，Ｂの値として、［０，０，０］または［０，１０２３，０］のいずれかになる。
図５（ｂ）に、付加位置Ｇ（１９２０，１）〜Ｇ（１９２０，１１）と示したのは、Ｇデータの水平画素位置１９２０ドット（つまり右端）で、垂直画素位置１ドット〜１１ドット（つまり１ラインから１１ライン）を使用することが示される。
【００３５】
この第１付加情報Ｄ１を構成する１１ビットの情報は、図５（ｂ）に示すように、上から順に、以下の内容が示される。
位置情報［０］のビット
位置情報［１］のビット
位置情報［２］のビット
位置情報［３］のビット
位置情報［４］のビット
枚数情報［０］のビット
枚数情報［１］のビット
枚数情報［２］のビット
枚数情報［３］のビット
ブランク情報［０］のビット
写真切替りフラグ［０］のビット
【００３６】
位置情報［０］〜［４］の５ビットでは、１２領域に分割した内の、どの分割位置の映像かが示される。枚数情報［０］〜［３］の４ビットでは、同じ分割領域の画像を５フレーム繰り返し伝送する場合の、１枚目から５枚目までの区別が示される。ブランク情報［０］の１ビットでは、表示を黒画面としたブランク映像（黒映像）とする指示の情報が示される。写真切替りフラグ［０］のビットでは、４Ｋフォーマットの１フレームの静止画が切り替わったことが示され、出力する組の静止画が切り替わるごとに値が反転する。
【００３７】
第２付加情報Ｄ２では、分割映像データが配置されたことを識別するための伝送モードが示される。すなわち、図５（ｃ）に示すように、第２付加情報Ｄ２は、１フレームの右端の下から１０画素のそれぞれが、決められた画素値となるように付加される情報である。この第２付加情報Ｄ２としての伝送モードのデータは、分割映像データが伝送中に、１０画素が常に同じ値となる。
なお、図３に示したプロジェクタ装置３０のモード判別部３４で、１フレームごとに特定位置の１画素だけが判別されると述べたのは、この第２付加情報Ｄ２を構成する１０画素の内の１画素だけの画素値が判別される処理である。
例えば、あるフレームで、１０画素内の上から１番目の画素の画素値が、図５（ｃ）に示すように、Ｒ，Ｇ，Ｂの値として、［１０２３，０，０］であるとき、モード判別部３４は、分割映像データが配置されたフレームであると判別する。
そして、次のフレームで、１０画素内の上から２番目の画素の画素値が、図５（ｃ）に示すように、Ｒ，Ｇ，Ｂの値として、［０，０，０］であるとき、モード判別部３４は、分割映像データが配置されたフレームであると判別する。
それぞれの画素位置で、それぞれの画素値が、図５（ｃ）に示した画素値以外の値であると検出されたときには、モード判別部３４は、分割映像データが配置された伝送モードでないと判別する。
【００３８】
図６は、分割映像データが配置されたフレームの伝送例を示した図である。
図６では、１組の分割映像の１フレーム目から１５フレーム目までを示す。例えば、１フレーム目では、第１付加情報Ｄ１で、分割位置１，フレーム番号１が示される。２フレーム目では、第１付加情報Ｄ１で、分割位置１，フレーム番号２が示される。このようにして、５フレーム目まで同じ分割位置１の分割映像であることが示され、フレーム番号だけが変化する。この１フレーム目から５フレーム目までは、配置される分割映像についても、分割位置１の同じ内容の映像が繰り返し配置される。
【００３９】
そして、６フレーム目では、第１付加情報Ｄ１で、分割位置２，フレーム番号１が示され、配置される分割映像の内容も分割位置２の内容の映像とされる。そして、７フレーム目は、第１付加情報Ｄ１で、分割位置２，フレーム番号２が示され、１０フレーム目までフレーム番号だけが変化する。この６フレーム目から１０フレーム目までは、配置される分割映像についても、分割位置２の同じ内容の映像が繰り返し配置される。
【００４０】
このようにして、５フレームごとに分割映像の位置が変化し、分割映像は分割位置１〜分割位置１２の１２分割であるので、５フレーム×１２分割の合計６０フレームで、図４に示した４Ｋフォーマットの１フレーム（１枚）の静止画の映像データの伝送が完了する。
【００４１】
［５．伝送処理の例］
次に、送信側の装置であるコンテンツ再生装置１０（ソース機器）と、受信側の装置であるプロジェクタ装置３０（シンク機器）との間で、４Ｋフォーマットの静止画の映像データを伝送する処理を、図７のシーケンス図を参照して説明する。なお、図７に示した送信側での処理と、受信側での処理は、それぞれ独立して行われる。つまり、コンテンツ再生装置１０とプロジェクタ装置３０との間で、伝送ケーブル９０を介した静止画の分割映像を伝送するモードに関する情報のやり取りは行われない。但し、静止画の分割映像を伝送するモードに関する情報を、コンテンツ再生装置１０からプロジェクタ装置３０に伝送ケーブル９０を介して送るようにしてもよい。
【００４２】
まず、コンテンツ再生装置１０は、分割映像モードをスタートさせる（ステップＳ１１）。また、プロジェクタ装置３０は、ＨＤＭＩ端子３１を選択した映像入力モードとする（ステップＳ２１）。これらのモードの設定は、例えば視聴を行うユーザの操作で行われる。
【００４３】
コンテンツ再生装置１０では、分割映像モードがスタートすると、ＨＤＭＩ送信部２０の出力モードとして、ＨＤフォーマットの映像データである１０８０／５９．９４ｐモードが設定され、画素のモードとして、ＲＧＢモードが設定される（ステップＳ１２）。１０８０／５９．９４ｐモードは、１フレームのライン数が１０８０で、フレーム周波数が５９．９４Ｈｚのモードである。ＲＧＢモードは、画素を赤Ｒと緑Ｇと青Ｂの値で伝送されるモードである。
【００４４】
プロジェクタ装置３０では、ＨＤＭＩ受信部３３が、送出側でのステップＳ１２のモード設定を検出して、対応したモードでの受信を開始する（ステップＳ２２）。このとき、ＨＤＭＩ受信部３３が、１０８０／５９．９４ｐモードでの受信を開始することで、プロジェクタ装置３０での映像表示モードが、ＨＤフォーマットのモードになる。つまり、水平画素数１９２０×垂直画素数１０８０の映像を、５９．９４Ｈｚで表示させるモードになる。但し実際の表示画素数は、解像度変換部３７での変換による、水平画素数１９２０×垂直画素数１０８０とは異なる場合もある。また、ステップＳ２２でのモード設定があった場合、制御部４１からの指示で、モード判別部３４でのモード判別が開始させる。
【００４５】
次に、コンテンツ再生装置１０で、分割映像の伝送処理が開始され（ステップＳ１３）、各フレームの映像に付加する第２付加情報Ｄ２で、分割映像モードであることが指示される（ステップＳ１４）。この第２付加情報Ｄ２は、プロジェクタ装置３０のモード判別部３４で判別される（ステップＳ２３）。このモード判別部３４での分割映像モードの判別で、プロジェクタ装置３０の制御部４１は、映像表示モードを、静止画の分割映像を合成して表示させるモードに切り替える処理を行う（ステップＳ２４）。この表示モードの切り替えで、プロジェクタ装置３０は、４Ｋフォーマットの静止画の映像を表示させるモードになる。この４Ｋフォーマットの静止画の映像を表示するモードでは、制御部４１の制御により、画質処理部３５での画質処理を停止する。つまり、画質処理部３５に入力した各フレームの画素値を、画質処理部３５がそのままの画素値で出力する。なお、切り替え処理中は、第１付加情報Ｄ１のブランク情報でブランク表示が指示され、制御部４１の制御で、表示映像を黒画像とする画ミュート処理が行われる。
【００４６】
そして、コンテンツ再生装置１０では、ステップＳ１４で第２付加情報Ｄ２の付加を開始してから４秒待機し、４秒待機した後、図６に示した６０フレーム期間による分割映像の伝送が開始される（ステップＳ１５）。この４秒の待機が行われることで、プロジェクタ装置３０側でステップＳ２４でのモード切り替えを行う時間が確保される。４秒は一つの例であり、その他の時間でもよい。
また、ステップＳ１５での分割映像の伝送開始時に、コンテンツ再生装置１０の付加情報検出部３６で、第１付加情報Ｄ１の付加が開始される。
【００４７】
プロジェクタ装置３０では、制御部４１で第１付加情報Ｄ１が検出されることで、分割映像の伝送が開始されたタイミングが検出され、分割映像のメモリ３８への書き込みが開始される（ステップＳ２５）。その後、第１付加情報Ｄ１で分割映像の変化が検出される毎に、制御部４１が、その変化した分割映像をメモリ３８に書き込む。そして、１２枚全ての分割映像がメモリ３８に書き込まれた段階で、制御部４１が、メモリ３８を読み出しモードに変更し、画ミュート処理を解除し、１フレームの４Ｋフォーマットの映像の出力を開始する（ステップＳ２６）。この１フレームの４Ｋフォーマットの映像の出力開始で、１フレームの４Ｋフォーマットの静止画の表示が開始される。ここでの映像表示は静止画表示であるので、毎フレームごとに同じ映像を繰り返し表示する。
【００４８】
そして、コンテンツ再生装置１０は、次の１枚の静止画の映像の表示に切り替えるタイミングになると、第１付加情報Ｄ１の写真切替りフラグで、切替りが通知されると共に、ブランク情報でブランク表示が通知される（ステップＳ１６）。
この第１付加情報Ｄ１の写真切替りフラグとブランク情報の変化がプロジェクタ装置３０の付加情報検出部３６で検出されると、制御部４１により、画ミュート処理が開始される（ステップＳ２７）。また、制御部４１が、メモリ３８を読み出しモードから書き込みモードに変更する（ステップＳ２８）。
【００４９】
そして、コンテンツ再生装置１０では、図６に示した６０フレーム期間による分割映像の伝送が開始される（ステップＳ１７）。
プロジェクタ装置３０では、制御部４１で、第１付加情報Ｄ１から次の分割映像の伝送が開始されたタイミングが検出され、分割映像のメモリ３８への書き込みが開始される（ステップＳ２９）。その後、第１付加情報Ｄ１で分割映像の変化が検出される毎に、制御部４１が、その変化した分割映像をメモリ３８に書き込み、ステップＳ２６に戻る。ステップＳ２６では、１２枚全ての分割映像がメモリ３８に書き込まれた段階で、制御部４１が画ミュート処理を解除し、１フレームの４Ｋフォーマットの映像の出力を開始する処理を行う。
【００５０】
この後、コンテンツ再生装置１０では、ステップＳ１７での分割映像の６０フレーム期間をかけた伝送と、ステップＳ１６での切り替わり通知とが、一定周期で繰り返し行われる。プロジェクタ装置３０では、ステップＳ２６〜Ｓ２９の処理が繰り返され、分割映像伝送中の画ミュート処理と、分割伝送完了後の静止画表示とが繰り返される。したがって、プロジェクタ装置３０での表示形態としては、一定間隔で表示される静止画が変化する、いわゆるスライドショー表示となる。画ミュート処理が行われる期間は、分割映像が伝送される６０フレーム期間に、映像合成を準備する数フレームを加算した期間となるので、例えばフレーム周波数が５９．９４Ｈｚである場合、約１秒間になる。
【００５１】
［６．表示装置での受信処理の例］
次に、分割映像モードでのプロジェクタ装置３０での処理タイミングを説明する。
図８（ａ）は、コンテンツ再生装置１０から伝送される垂直同期信号を示し、この垂直同期信号の１間隔が１フレームを示す。そして、分割映像モードの場合、図８（ｂ）に示すように、１つの分割位置の映像が５フレーム繰り返し受信され、分割位置１から分割位置１２までの分割映像が、６０フレーム期間をかけて受信される。この分割映像が伝送される期間は、図８（ｃ）に示すように、メモリ３８が書き込みモードとなり、分割映像が伝送されない期間は、読み出しモードとなる。
そして、図８（ｄ）に示すように、各分割位置の映像の５フレーム期間をかけた繰り返し伝送が行われている間の、約２フレーム期間に、メモリ３８への書き込みを有効にする書き込みフラグが立てられ、解像度変換部３７で書き込み処理が行われる。
【００５２】
図８（ｅ）は、プロジェクタ装置３０での映像表示状態を示す。この図８（ｅ）に示すように、６０フレーム期間をかけた分割映像入力期間は画ミュート処理が行われ、分割映像入力が終了すると、数フレーム期間をかけて合成映像の出力準備が行われる。そして、出力準備が完了すると、以後は、次の分割映像入力期間になるまで静止映像の出力が毎フレーム繰り返し行われる。
【００５３】
図９及び図１０は、分割映像モードでのプロジェクタ装置３０内の動作の詳細を示したシーケンス図である。図９は、６０フレーム期間の分割映像伝送期間の内の最初の１０フレーム期間を示し、図１０は、最後の１０フレーム期間を示す。
図９（ａ）に示すように、入力映像は、５フレームずつ同じ分割位置の映像となる。ここで、図９（ｂ）に示すように、付加情報検出部３６では、検出した第１付加情報Ｄ１が、モード判別部３４が備えるレジスタに格納される。
【００５４】
このレジスタに格納された第１付加情報Ｄ１は、図９（ｃ）に示すように、制御部４１により１フレームごとに読み出される。例えば、１フレーム目では、分割位置１のフレーム番号１であることが制御部４１で検出されると、メモリ３８が読み出しモードから書き込みモードに変更され、メモリ３８への書き込み位置が分割位置１に設定され、書き込みフラグが立てられる。
この書き込みフラグが立てられると、図９（ｄ）に示すように、解像度変換部３７が、繰り返し伝送されえる分割位置１の分割映像を、メモリ３８に書き込む処理を行う。この例では、このメモリ３８への分割位置１の分割映像の書き込みは、少なくとも２フレーム目の映像の伝送が完了した際には終了する。
そして、３フレーム目の映像の伝送が開始されて、制御部４１でフレーム番号３が検出されると、メモリ３８の書き込みフラグが解除され、解像度変換部３７による書き込みが終了する。
【００５５】
この制御部４１で書き込みフラグが立てられる処理と、書き込みフラグが解除される処理は、各分割映像の１フレーム目と３フレーム目で行われ、それぞれの分割映像がメモリ３８に書き込まれていく。
そして、図１０に示すように、分割位置１２の分割映像のフレーム番号１（５６フレーム目）で、制御部４１により、書き込みフラグを立てる処理が行われる。また、分割位置１２の分割映像のフレーム番号３（５８フレーム目）で、制御部４１により、書き込みフラグを解除する処理が行われる。このようにして、１２個の分割映像がメモリ３８に書き込まれる。
この１２個の分割映像が全てメモリ３８に書き込まれると、次のフレーム番号４（５９フレーム目）で、制御部４１が、メモリ３８のモードを書き込みモードから読み出しモードに切り替える処理を実行する。この切り替え処理が完了すると、メモリ３８に書き込まれた分割映像を合成した４Ｋフォーマットの静止画の表示が開始される。
【００５６】
以上説明したように、本開示のコンテンツ再生装置１０とプロジェクタ装置３０とで、ＨＤフォーマットの映像データを伝送可能に接続することで、ＨＤフォーマットで規定された画素数を超える４Ｋフォーマットの静止画を伝送することができる。そして、プロジェクタ装置３０では、その４Ｋフォーマットの静止画をそのままの解像度で表示することができる。したがって、４Ｋフォーマットの如き１フレームの画素数が非常に大きな静止画を、それより制限された画素数の映像データしか伝送できない伝送路を使用して、効率よく伝送できる。コンテンツ再生装置１０側の送信部や、プロジェクタ装置３０側の受信部は、ＨＤフォーマットの映像データを扱う既存のものが使用でき、４Ｋフォーマットに対応した高価で複雑な構成は必要ない。
【００５７】
また、コンテンツ再生装置１０から次々に別の静止画を送出することで、自動的にプロジェクタ装置３０で表示される静止画が次々に変化し、高解像度映像によるスライドシュー表示が可能になる。
【００５８】
［７．変形例］
なお、上述した実施の形態の例で説明した１フレームの画素数や分割数は、好適な一例を示したものであり、その他の数値としてもよい。１フレーム内に分割映像や付加情報を配置する位置についても一例を示したものであり、１フレーム内のその他の位置に配置する構成でもよい。
また、上述した実施の形態の例では、１つの分割映像を５フレーム期間、繰り返し伝送する構成としたが、この同一分割映像が繰り返される期間についても、その他の複数フレーム期間としてもよい。複数フレーム期間繰り返すことで、図９に示したように分割映像を合成処理するために必要な時間が確保できるが、例えば４フレーム期間や３フレーム期間などの、図９の例より少ない繰り返し回数としてもよい。
【００５９】
また、上述した実施の形態の例では、表示装置として、スクリーンに映像を投射するプロジェクタ装置に適用した例を示したが、表示パネルを視聴者が直視するタイプの表示装置に適用してもよい。送信側の装置についても、図２に示したコンテンツ再生装置以外の各種映像機器に適用してもよい。
また、図２に示したコンテンツ再生装置内で映像データを処理する構成や、図３に示したプロジェクタ装置内で映像データを処理する構成についても、一例を示したものであり、同一の映像データが伝送される構成であれば、処理を行う順序などが異なってもよい。
【００６０】
また、上述した実施の形態の例で示した、ＨＤＭＩ規格の伝送路を使用して伝送する構成についても、一例を示したものであり、その他の伝送規格の伝送路を使用して伝送してもよい。この場合、有線のケーブルを使用して伝送する構成の他に、無線伝送を行う場合に適用してもよい。
【００６１】
また、図２や図３に示した処理部をそれぞれの装置が備える代わりに、送信側での分割処理や受信側での合成処理を実行するプログラムを作成し、そのプログラムをコンピュータ装置などの情報処理装置に実装して、同様の装置が実現するようにしてもよい。
【００６２】
なお、本開示は以下のような構成も取ることができる。
（１）所定のフォーマットの映像データを１フレームずつ受信する受信部と、
前記受信部が受信した１フレームの映像データの特定位置に配置された付加情報を検出する付加情報検出部と、
前記受信部が受信した１フレームの映像データに配置された静止画の分割映像を取り出し、前記付加情報に基づいて取り出した分割映像を合成して、前記１フレームの映像データの画素数より大きな静止画を組み立てる合成部と、
前記合成部で合成された静止画を表示する表示部とを備えた
表示装置。
【００６３】
（２）前記受信部が受信する映像データは、静止画の同一の分割映像が複数フレームで繰り返し受信される映像データであり、
前記付加情報検出部が検出する付加情報には、静止画の分割映像の繰り返し伝送回数を示す情報が含まれる
（１）記載の表示装置。
【００６４】
（３）前記合成部は、分割映像を合成するメモリを備え、
静止画の同一の分割映像が複数フレームで繰り返し受信される期間内で、前記合成部での前記メモリへの１つの分割領域の分割映像の書き込みを完了させる
（１）又は（２）記載の表示装置。
【００６５】
（４）前記表示部は、前記合成部での静止画の合成を行っている間、映像の表示を行わず、前記合成部での静止画の合成が完了後、合成された静止画を毎フレーム表示する
（１）〜（３）のいずれか１項に記載の表示装置。
【００６６】
（５）前記受信部が受信した１フレームの映像データの特定位置に配置された付加情報から、受信した映像データの伝送モードを判別するモード判別部を備え、
前記モード判別部が判別した伝送モードが、静止画の分割映像を行う伝送モードであるとき、前記合成部が静止画の合成を行うと共に前記表示部で合成された静止画を表示する
（１）〜（４）のいずれか１項に記載の表示装置。
【００６７】
（６）前記モード判別部は、前記特定位置に配置された付加情報に含まれる伝送モード指示用の複数ビットの情報の内の限られたビットの情報を判別する
（５）記載の表示装置。
【００６８】
（７）前記モード判別部が判別するビット位置を、１フレームごとに可変した位置とする
（５）又は（６）記載の表示装置。
【００６９】
（８）前記受信部が受信した映像データの画質処理を行う画質処理部を備え、
前記モード判別部が判別した伝送モードが、静止画の分割映像を行う伝送モードであるとき、前記画質処理部での画質処理を停止する
（５）又は（６）記載の表示装置。
【００７０】
（９）所定のフォーマットの映像データを１フレームずつ受信する受信ステップと、
前記受信ステップで受信した１フレームの映像データの特定位置に配置された付加情報を検出する付加情報検出ステップと、
前記受信ステップで受信した１フレームの映像データに配置された静止画の分割映像を取り出し、前記付加情報に基づいて取り出した分割映像を合成して、前記１フレームの映像データの画素数より大きな静止画を組み立てる合成ステップと、
前記合成ステップで合成された静止画を表示する表示ステップとを含む
表示方法。
【００７１】
（１０）１枚の静止画の映像データを所定領域ごとに分割して複数の分割映像データを得、得られた複数の分割映像データのそれぞれを、前記静止画よりも画素数が少ない所定のフォーマットの映像データ内に配置する分割処理部と、
前記分割処理部で得られた前記所定のフォーマットの映像データ内の特定位置に、前記分割映像に関する付加情報を配置する情報付加部と、
前記付加情報部で付加情報が配置されたフレームを、１つの分割映像毎に所定の複数回繰り返し出力しながら、作成された全てのフレームを出力する送信部とを備えた
送信装置。
【００７２】
（１１）１枚の静止画の映像データを所定領域ごとに分割して、複数の分割映像データを得、得られた複数の分割映像データのそれぞれを、前記静止画よりも画素数が少ない所定のフォーマットの映像データ内に配置する分割ステップと、
前記分割ステップで得られた前記所定のフォーマットの映像データ内の特定位置に、前記分割映像に関する付加情報を配置する情報付加ステップと、
前記情報付加ステップで付加情報が配置されたフレームを、１つの分割映像毎に所定の複数回繰り返し出力しながら、作成された全てのフレームを出力する送信ステップとを含む
送信方法。
【符号の説明】
【００７３】
１０…コンテンツ再生装置、１１…ＨＤＭＩ端子、１２…メモリ、１３…ハードディスクドライブ（ＨＤＤ）、１４…光ディスク駆動部、１５…映像データ読み出し部、１６…デコーダ、１７…解像度変換部、１８…分割処理部、１９…情報付加部、２０…ＨＤＭＩ送信部、２１…制御部、３０…プロジェクタ装置、３１…ＨＤＭＩ端子、３２…投射レンズ、３３…ＨＤＭＩ受信部、３４…モード判別部、３５…画質処理部、３６…付加情報検出部、３７…解像度変換部、３８…メモリ、３９…表示処理部、４０…パネル駆動部、４１…制御部、４２…光源、４３…表示パネル、８０…スクリーン、９０…伝送ケーブル
【図１】
2013125141.tif 000003
【図２】
2013125141.tif 000004
【図３】
2013125141.tif 000005
【図７】
2013125141.tif 000006
【図４】
2013125141.tif 000007
【図５】
2013125141.tif 000008
【図６】
2013125141.tif 000009
【図８】
2013125141.tif 000010
【図９】
2013125141.tif 000011
【図１０】
2013125141.tif 000012